(57)【要約】【課題】単一のスリットを有する比較的簡易な構成で複数帯域での共振を得ることができるノッチアンテナおよびこれを用いた無線装置を提供する。【解決手段】ノッチアンテナ１００は、地導体１１に設けられたスリット１２のスリットの開放端１３にスリット１２を跨ぐように地導体１１に接続されたリアクタンス回路１７を有し、スリット１２の根本側に給電が行われる。リアクタンス回路１７は、キャパシタ（容量性リアクタンス素子）Ｃ１，Ｃ２およびインダクタ（誘導性リアクタンス素子）Ｌ１を含み、第１の周波数で第１のアンテナ共振点をもたらす容量値を示し、第２の周波数で第２のアンテナ共振点をもたらす容量値を示すようキャパシタとインダクタの各値が設定されている。【選択図】図２
2010062976.tif 000002
【特許請求の範囲】
【請求項１】
スリットを有する地導体と、
前記スリットの開放端に前記スリットを跨ぐように前記地導体に接続された、容量性リアクタンス素子および誘導性リアクタンス素子を含むリアクタンス回路とを備え、
前記スリットの根本側に給電を行い、前記リアクタンス回路は、第１の周波数で第１のアンテナ共振点をもたらす容量値を示し、第２の周波数で第２のアンテナ共振点をもたらす容量値を示すよう前記容量性リアクタンス素子のおよび誘導性リアクタンス素子の各値が設定された
ノッチアンテナ。
【請求項２】
前記リアクタンス回路は、誘導性リアクタンス素子と第１の容量性リアクタンス素子との直列回路に第２の容量性リアクタンス素子を並列に接続した回路である請求項１に記載のノッチアンテナ。
【請求項３】
前記リアクタンス回路は、誘導性リアクタンス素子と第１の容量性リアクタンス素子との並列回路に第２の容量性リアクタンス素子を直列に接続した回路である請求項１に記載のノッチアンテナ。
【請求項４】
前記容量性リアクタンス素子は、その値を制御信号に応じて制御可能な素子である請求項２または３に記載のノッチアンテナ。
【請求項５】
前記スリットの根本から所定の距離にある根本近傍の位置を給電点とした請求項１に記載のノッチアンテナ。
【請求項６】
前記スリットの根本側に近い位置に所定の長さのストリップラインの一端を接続し、このストリップラインの他端を他の容量性リアクタンス素子を介して接地し、前記ストリップラインの他端に給電を行う請求項１〜５のいずれかに記載のノッチアンテナ。
【請求項７】
前記スリットの根本近傍において前記スリットを跨ぐように他の容量性リアクタンス素子を接続した請求項１〜５のいずれかに記載のノッチアンテナ。
【請求項８】
ノッチアンテナと、
このノッチアンテナに給電を行う給電手段とを備え、
前記ノッチアンテナは、
スリットを有する地導体と、
前記スリットの開放端に前記スリットを跨ぐように前記地導体に接続された、容量性リアクタンス素子および誘導性リアクタンス素子を含むリアクタンス回路とを備え、
前記スリットの根本側に給電を行い、前記リアクタンス回路は、第１の周波数で第１のアンテナ共振点をもたらす容量値を示し、第２の周波数で第２のアンテナ共振点をもたらす容量値を示すよう前記容量性リアクタンス素子および誘導性リアクタンス素子の各値が設定された
無線装置。
【発明の詳細な説明】
【技術分野】
【０００１】
本発明は、複数の共振周波数帯を有するノッチアンテナおよびこれを用いた無線装置に関する。
【背景技術】
【０００２】
現在、携帯無線端末の多機能化に伴い、ＧＰＳ機能や、近距離無線通信方式の一つであるブルートゥース（Ｂｌｕｅｔｏｏｔｈ：登録商標）の機能等が搭載されるようになってきている。また、１つの携帯無線端末に異なる周波数帯域を使用する複数の無線通信システムを搭載した、いわゆるマルチバンド対応の携帯無線端末も開発され、市場に現れるようになっている。
【０００３】
このように１つの無線装置に複数の無線通信システムを搭載する場合、端末の小型軽量化の観点からは１つの内蔵アンテナを複数の無線通信システムで共用できることが望ましい。
【０００４】
地板（地導体）上に一端を開放した細長い溝であるノッチ（またはスリット）を形成したノッチアンテナは、構成が簡易であり、携帯型または小型の無線装置の内蔵アンテナ装置に適している（特許文献１参照）。
【０００５】
ノッチアンテナにおいては、その共振周波数がスリットの長さによって決まり、通常、スリットの長さが使用周波数の０．２波長程度の長さに設定される。従来のＰＤＣ方式（約８００ＭＨｚ）やＧＳＭ方式（約８００〜９００ＭＨｚ）での使用周波数帯域に対するスリット長は７０〜８０ｍｍと長く、そのような方式の携帯電話端末にノッチアンテナを内蔵するのは必ずしも容易ではなかった。一方、第３世代の携帯電話システム（例えばＷ−ＣＤＭＡ方式で約２ＧＨｚ）やＧＰＳ機能を搭載した携帯電話端末（約１．５７５ＭＨｚ）、ブルートゥース（２．５ＧＨｚ）などのより高い周波数帯域で使用されるシステムではノッチアンテナの採用が容易となる。
【０００６】
従来、ノッチアンテナをマルチバンド対応とするために、地板に複数のスリットを設ける構成のものが提案されている（特許文献２、３参照）。
【０００７】
また、ノッチアンテナのスリットの短絡端（根本）側に共振器を配置し、高い周波数ではスリットを短くみせることにより、複数のバンドで共振を得る技術が提案されている（特許文献４）。
【０００８】
さらに、給電点から短絡端までのインダクタと並列にキャパシタを配置した並列共振回路を、スリットの根本近傍に並列に挿入することにより広帯域特性（２共振特性）を得る技術が提案されている（特許文献５）。
【特許文献１】特許第３９１６０６８号公報
【特許文献２】特許第３８４４７１７号号公報
【特許文献３】特開２００４−２７４４４５号公報
【特許文献４】特開２００４−３２３０３号公報
【特許文献５】特開２００４−３３６３２８号公報
【発明の開示】
【発明が解決しようとする課題】
【０００９】
上記の特許文献２，３に記載の従来技術では、複数のノッチを必要とするため、ノッチアンテナの小型化が困難となる。
【００１０】
特許文献４に記載の従来技術では、高い周波数では電気的なスリット長が短くなる一方、スリット長が短くなるほど効率が低下するため、ノッチ全体の物理的寸法を活かしきれず、アンテナサイズの割にアンテナ効率が高められない。
【００１１】
特許文献５に記載の従来技術では、並列共振回路のＱ値で２つの共振周波数間隔が決定され、かつインダクタンス値の調整ができないため、周波数間隔差が大きくなると各帯域が狭帯域になる。このため、２つの周波数間隔に制限が生じる。また、キャパシタをスリットの根本近傍に配置するため、キャパシタの抵抗成分による整合損失が大きくなることからアンテナ効率が劣化してしまう、という問題がある。
【００１２】
本発明はこのような背景において、単一のスリットを有する比較的簡易な構成で複数帯域での共振を得ることができるノッチアンテナおよびこれを用いた無線装置を提供しようとするものである。
【課題を解決するための手段】
【００１３】
本発明によるノッチアンテナは、スリットを有する地導体と、前記スリットの開放端に前記スリットを跨ぐように前記地導体に接続された、容量性リアクタンス素子および誘導性リアクタンス素子を含むリアクタンス回路とを備え、前記スリットの根本側に給電を行い、前記リアクタンス回路は、第１の周波数で第１のアンテナ共振点をもたらす容量値を示し、第２の周波数で第２のアンテナ共振点をもたらす容量値を示すよう前記容量性リアクタンス素子および誘導性リアクタンス素子の各値が設定されたものである。
【００１４】
このようにスリットの開放端部において、２つ以上の帯域で容量性リアクタンスを呈するリアクタンス回路を、スリットを跨ぐように地導体間に接続することにより、ノッチアンテナを複数帯域での容量装荷アンテナとして動作させ、多共振特性を得ることができる。
【００１５】
本発明による無線装置は、ノッチアンテナと、このノッチアンテナに給電を行う給電手段とを備え、前記ノッチアンテナは、スリットを有する地導体と、前記スリットの開放端に前記スリットを跨ぐように前記地導体に接続された、容量性リアクタンス素子および誘導性リアクタンス素子を含むリアクタンス回路とを備え、前記スリットの根本側に給電を行い、前記リアクタンス回路は、第１の周波数で第１のアンテナ共振点をもたらす容量値を示し、第２の周波数で第２のアンテナ共振点をもたらす容量値を示すよう前記容量性リアクタンス素子および誘導性リアクタンス素子の各値が設定されたものである。
【発明の効果】
【００１６】
本発明によるノッチアンテナによれば、小形、薄型であるという既存のノッチアンテナの利点を維持しつつ、単一のスリットで複数の共振が得られる。追加する部品は受動素子のみで足りるので低コストで実現可能である。また、スリットの物理的大きさを各帯域が共用して動作するため高いアンテナ効率を確保することができる。
【発明を実施するための最良の形態】
【００１７】
以下、本発明の好適な実施の形態について図面を参照しながら詳細に説明する。
【００１８】
図１は、本発明の前提となるノッチアンテナの構成の説明図である。図１（ａ）はノッチアンテナの構成を示し、図１（ｂ）はその共振特性を表すグラフを示している。図１（ｂ）のグラフの横軸は周波数、縦軸はリターンロス（反射係数：ＳパラーメタのＳ１１）を表している。
【００１９】
図１（ａ）に示すように、ノッチアンテナ１０は、地板（地導体）１１上に一端を開放した細長い溝であるノッチすなわちスリット１２を形成し、短絡端１５の近傍に給電点１６を設けたものである。ノッチアンテナ１０では、スリット１２の長さ（以下、スリット長という）により共振周波数が決まる。また、スリット１２の短絡端１５から給電点１６までの距離Ｂにより、アンテナの特性インピーダンス（ここでは５０Ω）が決まる。
【００２０】
このようなノッチアンテナの構成において、図１（ａ）に示すようにスリットの開放端１３に、スリットを跨ぐようにキャパシタ１４を装荷することにより、図１（ｂ）に示すように、物理的形状（特にスリット長）を変えることなく、定数の異なるキャパシタの交換により共振周波数を調整することができる。
【００２１】
なお、図１の例では、地板１１のサイズは８０ｍｍ×４０ｍｍ、厚さ１ｍｍ、スリット長Ａは１５ｍｍ、スリット幅は１ｍｍ、距離Ｂは４ｍｍを想定している。但し、これらの具体的な数値はあくまで例示であり本発明はこれらの具体的な数値に限定されるものではない。
【００２２】
図２に本発明の実施の形態におけるノッチアンテナ１００の概略構成を示す。地導体１１に対して設けられたスリット１２の根本側に給電点１６を設ける。図２（ａ）（ｂ）に示すように、スリット開放端１３に配置するキャパシタ１４をリアクタンス回路１７に変更する。このリアクタンス回路１７は、異なる周波数（周波数Ｌおよび周波数Ｈ)で異なる容量を呈する、インダクタ（誘導性リアクタンス素子）Ｌとキャパシタ（容量性リアクタンス素子）Ｃとを組み合わせたＬＣ共振回路である。これらの素子としてはチップ部品（表面実装部品）などの小型の部品を利用することができる。図では各素子を便宜上リード部品の形態で示しているが、本発明では特に各素子を構成する部品の形態を限定するものではない。リアクタンス回路１７は、第１の周波数で第１のアンテナ共振点をもたらす容量値を示し、第２の周波数で第２のアンテナ共振点をもたらす容量値を示すよう容量性リアクタンス素子および誘導性リアクタンス素子の各値が設定されている。
【００２３】
本実施の形態では、スリット長Ａは２１ｍｍ、スリットの幅は１ｍｍ、５０Ωインピーダンスマッチングで距離Ｂは４ｍｍである。この構成により、スリット開放端１３に配置する素子を交換することなく、複数の周波数帯での共振を得ることができる。スリット開放端１３で電界の変化率が最も大きいので、リアクタンス回路１７の配置位置はスリット開放端１３の近傍とすることが好ましい。本例では、リアクタンス回路１７の配置位置は、スリット開放端１３から内側へ２〜３ｍｍ程度の距離の位置としている。
【００２４】
図２（ｃ）はリアクタンス回路１７の一構成例を示している。この例のリアクタンス回路１７は、インダクタＬ１と第１のキャパシタＣ１とを直列接続した直列回路に、第２のキャパシタＣ２を並列に接続して得られる回路である。このリアクタンス回路１７は、２つの周波数帯域で整合が得られる容量性リアクタンス（例えば、８００ＭＨｚ帯において３ｐＦ、２ＧＨｚ帯において１．５ｐＦ）を呈する。
【００２５】
図３（ａ）（ｂ）に、それぞれ、図２の構成のノッチアンテナの周波数に対するリターンロスおよびアンテナ効率の関係をシミュレーションで求めた結果を表わすグラフを示す。シミュレーションは、例えば、ＦＤＴＤ法（Finite Difference Time Domain Method：有限差分時間領域法）を用いた電磁界シミュレーションである。これらのグラフから、このノッチアンテナは２つの周波数帯域において共振しており、それぞれの帯域で高いアンテナ効率を示していることが分かる。両帯域での２つの電流のモードは別々であり、単一の共振を広帯域化しているわけではない。なお、図３の例では９５０ＭＨｚあたりおよび２．２ＧＨｚあたりで共振が見られ、図２の説明における「８００ＭＨｚ帯において３ｐＦ、２ＧＨｚ帯において１．５ｐＦ」の両帯域と正確に一致していない。これは、図３のグラフが実際の抵抗成分を含んだリアクタンスに基づく計算結果に対応していることによる。
【００２６】
リアクタンス回路１７の具体的な構成は図２（ｃ）に記載の回路に限るものではない。例えば、図４に示すリアクタンス回路１７ａは、第１のインダクタＬ１と第１のキャパシタＣ１とを並列接続した並列回路に、第２のキャパシタを直列に接続して得られる回路である。
【００２７】
図５は、図２のノッチアンテナの変形例を示している。図２に示した要素と同様の要素には同じ参照番号を付して、重複した説明を省略する。図５の例では、図２に示したリアクタンス回路１７のキャパシタＣ２を、制御信号に応じてその容量値を制御可能な容量性リアクタンス素子であるバリアブルキャパシタＶＣに置き換えたものを示している。各帯域での容量を変化させることにより、所望の帯域について適応的に共振周波数を調整することができる。
【００２８】
図６は、バリアブルキャパシタＶＣの容量値を動的に変更することができる駆動回路例を示している。この例では、プロセッサ等のデジタル回路（Ｄ）６１から出力したデジタル信号をデジタルアナログ変換器（Ｄ／Ａ）６２によりアナログ電圧に変換し、バイアス回路６３を介してバリアブルキャパシタＶＣに印加する。この印加点と接地との間には直流を遮断するためのキャパシタ６６を挿入している。バイアス回路６３は、デジタルアナログ変換器６２に直列に接続されるインダクタ６４（交流遮断用）と、デジタルアナログ変換器６２の出力と接地との間に接続される抵抗６５とにより構成される。携帯電話端末における現実的な実装上、バリアブルキャパシタＶＣへのバイアスは０〜３．０Ｖ程度の電圧変化量が望ましい。
【００２９】
この駆動回路により、バリアブルキャパシタＶＣの容量を動的に可変制御することができる。
【００３０】
図７は、バリアブルキャパシタＶＣの容量値を変化させたときのノッチアンテナの周波数特性シミュレーションにより求めた結果を表したグラフである。バリアブルキャパシタＶＣへのバイアス電圧を０Ｖから３Ｖまで変化させることにより、その容量値を１．２ｐＦから５ｐＦまで段階的に（この例では１０段階に）変化させている。本実施の形態による構成では、ローバンドで７００ＭＨｚから９００ＭＨｚまで、ハイバンドで１．５ＧＨｚから２．２ＧＨｚまで、共振周波数を変化させることが可能であることが分かった。
【００３１】
この構成により、８５０Ｍ／１．９Ｇ／２．１Ｇのダイバーシティアンテナとするだけでなく、ＧＰＳ／ブルートゥースなどのバンドも取り込んだ、マルチバンドアンテナを単一のアンテナ素子で構成可能となる。
【００３２】
また、所定の場合に、それに適するようにバリアブルキャパシタＶＣの容量、ひいてはノッチアンテナの共振周波数を調整することも可能となる。所定の場合とは、例えば、目的の通信方式に応じて共振周波数をデフォルトの共振周波数からずらす場合、人体の影響による周波数ずれや折り畳み式端末の開閉動作での周波数ずれなどに適応的に対応する場合である。その場合、アンテナ部にユーザの手が接触したこと、等を所定のセンサで検出する。
【００３３】
図８は、本発明の実施の形態の第２の変形例の前提の説明図である。ノッチアンテナの特性インピーダンスと整合した特性インピーダンス（本例では５０Ω）の伝送線路、ここではストリップライン１８と、キャパシタ１９とを組み合わせて、給電点を移動させることにより、アンテナの広帯域化を図る技術が知られている。図８（ａ）に示したノッチアンテナは、図１（ａ）に示したノッチアンテナと実質的に等価な構成を有する。図８のノッチアンテナのスリットは途中で折れ曲がっているが、原則的にはスリットが直線状であるものと同等である。すなわち、スリットは、その配置の制約や要請に応じて屈曲させることができる。スリットの根本から給電点までの上記のような所定の距離よりスリット根本側に近い位置（ここでは根本から約１．５ｍｍ）に所定の長さ（ここでは約３ｍｍ）のストリップライン１８の一端を接続し、このストリップライン１８の他端を他のキャパシタ１９を介して接地し、ストリップライン１８の他端に給電を行う。
【００３４】
図８（ａ）の構成を有するノッチアンテナは、同図に示すようなインピーダンス特性およびＶＳＷＲ（Voltage Standing Wave Ratio：電圧定在波比）の周波数特性を有する。ＶＳＷＲは、アンテナの入力に対する反射の度合いを示した指標であり、単位は異なるが、上述したＳ１１と相互に換算することができる。図示のグラフから、１つの周波数帯において共振していることが分かる。
【００３５】
図８（ａ）の構成において、まず、給電点の位置をずらす。すなわち、距離Ｂをこの例では３．５ｍｍから１．５ｍｍに変更する。これにより、図８（ｂ）のスミスチャートに示すように、アンテナのインピーダンスの軌跡が＋ｊ側へずれ、５０Ωインピーダンスへの整合状態から一旦外れる。この状態からさらに、ストリップライン１８により、給電点を移動させるとともに、ストリップライン１８の給電側の端部をキャパシタ１９で接地する。図８（ｃ）に示すように、スミスチャート上のインピーダンス特性の軌跡はそのループが拡大して、スミスチャートの中心を囲むように移動している。これによって、５０Ωインピーダンスへの整合状態に戻る。また、周波数特性のグラフからも分かるように、１つの共振周波数帯が広域化する。
【００３６】
この第２の変形例のノッチアンテナ１００ａでは、この前提技術に対して、キャパシタ１４を図９（ａ）に示すようにリアクタンス回路１７ｂに交換することにより、それぞれの共振周波数帯を広帯域化するとともに、その共振周波数を可変制御することができる。すなわち、複数帯域で広帯域特性を得つつ、多共振化を図ることができる。勿論、図８に示した技術は、リアクタンス回路１７ｂでなく、リアクタンス回路１７または１７ａに適用してもよい。その場合は共振周波数の可変制御は行えないが、それぞれの共振周波数帯の広帯域化が可能となる。
【００３７】
次に、本発明の実施の形態の第３の変形例を説明する。
【００３８】
図１０は、特許文献５に記載の特徴技術を上記実施の形態の特徴技術と組み合わせた構成を示している。すなわち、給電点１６から短絡端１５までのスリット周辺に存在するインダクタンスと並列にキャパシタＣ３を配置して構成した並列共振回路を、スリットの根本１５の近傍に並列に挿入する。このインダクタンスは外付けするような素子によるものではなく、実際の回路に付随して発生するものである。
【００３９】
図１０のノッチアンテナ１００ｂの構成によれば、図１１に示すようなインピーダンス特性および周波数特性が得られる。図１１のスミスチャートから、周波数の変化に伴って、インピーダンスがスミスチャートの中心を囲むように３回転している。また、周波数特性のグラフから、８００ＭＨｚと２ＧＨｚの２つの周波数帯で２共振を得つつ、さらに２ＧＨｚ帯が広帯域（２共振化）されていることが分かる。このように、本変形例によれば、合計３共振の周波数特性が得られる。
【００４０】
なお、図１０に示したリアクタンス回路１７を、リアクタンス回路１７ａまたは１７ｂと置換した構成も可能である。
【００４１】
図１２は、本発明のノッチアンテナを搭載可能な携帯電話端末の概略のハードウェア構成を示したブロック図である。
【００４２】
携帯電話端末１０１は、アンテナ１０２、高周波無線回路であるＲＦ回路１０３、ベースバンド信号回路１０４、ＣＯＤＥＣ（コーデック）１０５、メモリ１０６、表示部１０７、キー入力部１０８、スピーカ１０９、マイクロフォン（マイク）１１０、ＧＰＳ回路１１２、ブルートゥース（ＢＴ）回路１１４、これらを制御する制御部（ＣＰＵ）１１１とを備えている。ＲＦ回路１０３、ＧＰＳ回路１１２、ＢＴ回路１１４には、それぞれ、アンテナ１０２、１１３、１１５が備えられている。本実施の形態では、これらのアンテナ１０２、１１３、１１５のうち、少なくとも２本を上述したいずれかの構成のノッチアンテナにより構成することができる。
【００４３】
ＣＯＤＥＣ１０５は、マイクロフォン１１０から入力された音声信号を符号化してベースバンド信号回路１０４に送ると共に、ベースバンド信号回路１０４から受けた信号を復号化することにより得られる音声信号をスピーカ１０９に供給する。
【００４４】
ベースバンド信号回路１０４は、ＣＯＤＥＣ１０５から受けた信号を送信用のベースバンド信号に調整してＲＦ回路１０３に送ると共に、ＲＦ回路１０３が復調したベースバンド信号からＣＯＤＥＣ１０５が処理可能な信号を取り出す。
【００４５】
ＲＦ回路１０３は、ベースバンド信号回路１０４から送られたベースバンド信号に応じた変調を施したＲＦ信号（高周波信号）をアンテナ１０２に供給すると共に、アンテナ１０２を介して受信したＲＦ信号からベースバンド信号を復調してベースバンド信号回路１０４に送る。
【００４６】
メモリ１０６は、例えばＲＯＭ（Read Only Memory）、ＲＡＭ、フラッシュメモリなどからなり、制御部１１１が実行するプログラムや各種設定データなどを記憶する。
【００４７】
表示部１０７は、例えば液晶表示装置などから構成され、各種の情報を表示する。
【００４８】
キー入力部１０８は、入力手段であるテンキー等によるユーザによる指示や情報を制御部１１１に入力する。
【００４９】
スピーカ１０９は、ＣＯＤＥＣ１０５から送られた音声信号に応じた音声を出力する。一方、マイクロフォン１１０は、外部から音声を取り込んで、その音声を音声信号に変換してＣＯＤＥＣ１０５へ転送する。
【００５０】
以上、本発明の好適な実施の形態について説明したが、上記で言及した以外にも種々の変形、変更を行うことが可能である。例えば、実施の形態およびその複数の変形例について言及したが、本発明は、それらの可能な任意の組み合わせを包含するものである。
【図面の簡単な説明】
【００５１】
【図１】本発明の前提となるノッチアンテナの構成の説明図である。
【図２】本発明の実施の形態におけるノッチアンテナの概略構成を示す図である。
【図３】図２の構成のノッチアンテナの周波数に対するリターンロスおよびアンテナ効率の関係をシミュレーションで求めた結果を表わすグラフである。
【図４】図２内に示したリアクタンス回路の他の構成例を示す回路図である。
【図５】図２のノッチアンテナの変形例を示した図である。
【図６】バリアブルキャパシタＶＣの容量値を動的に変更することができる駆動回路例を示す図である。
【図７】バリアブルキャパシタＶＣの容量値を変化させたときのノッチアンテナの周波数特性シミュレーションにより求めた結果を表したグラフである。
【図８】本発明の実施の形態の第２の変形例の前提の説明図である。
【図９】本発明の実施の形態の第２の変形例の構成例を示す図である。
【図１０】特許文献５に記載の特徴技術を実施の形態の特徴技術と組み合わせた構成を示す図である。
【図１１】図１０のノッチアンテナの構成により得られるインピーダンス特性、および周波数特性を示すグラフである。
【図１２】本発明のノッチアンテナを搭載可能な携帯電話端末の概略のハードウェア構成を示したブロック図である。
【符号の説明】
【００５２】
１０…ノッチアンテナ、１２…スリット、１３…開放端、１４…キャパシタ（容量性リアクタンス素子）、１５…短絡端、１６…給電点、１７…リアクタンス回路、１７ａ…リアクタンス回路、１７ｂ…リアクタンス回路、１８…ストリップライン、１９…キャパシタ、６２…デジタルアナログ変換器、６３…バイアス回路、６４…インダクタ（誘導性リアクタンス素子）、６５…抵抗、６６…キャパシタ、１００…ノッチアンテナ、１００ａ…ノッチアンテナ、１００ｂ…ノッチアンテナ、１０１…携帯電話端末、１０２…アンテナ、１０３…ＲＦ回路、１０４…ベースバンド信号回路、１０５…コーデック、１０６…メモリ、１０７…表示部、１０８…キー入力部、１０９…スピーカ、１１０…マイクロフォン、１１１…制御部、１１２…ＧＰＳ回路、１１４…ＢＴ回路
【図１】
2010062976.tif 000003
【図２】
2010062976.tif 000004
【図４】
2010062976.tif 000005
【図５】
2010062976.tif 000006
【図６】
2010062976.tif 000007
【図８】
2010062976.tif 000008
【図９】
2010062976.tif 000009
【図１０】
2010062976.tif 000010
【図１１】
2010062976.tif 000011
【図１２】
2010062976.tif 000012
【図３】
2010062976.tif 000013
【図７】
2010062976.tif 000014
【手続補正書】
【提出日】平成21年8月5日(2009.8.5)
【手続補正１】
【補正対象書類名】明細書
【補正対象項目名】００２２
【補正方法】変更
【補正の内容】
【００２２】
図２に本発明の実施の形態におけるノッチアンテナ１００の概略構成を示す。地導体１１に対して設けられたスリット１２の根本側に給電点１６を設ける。図２に示すように、スリット開放端１３に配置するキャパシタ１４をリアクタンス回路１７に変更する。このリアクタンス回路１７は、異なる周波数（周波数Ｌおよび周波数Ｈ)で異なる容量を呈する、インダクタ（誘導性リアクタンス素子）Ｌとキャパシタ（容量性リアクタンス素子）Ｃとを組み合わせたＬＣ共振回路である。これらの素子としてはチップ部品（表面実装部品）などの小型の部品を利用することができる。図では各素子を便宜上リード部品の形態で示しているが、本発明では特に各素子を構成する部品の形態を限定するものではない。リアクタンス回路１７は、第１の周波数で第１のアンテナ共振点をもたらす容量値を示し、第２の周波数で第２のアンテナ共振点をもたらす容量値を示すよう容量性リアクタンス素子および誘導性リアクタンス素子の各値が設定されている。
【手続補正２】
【補正対象書類名】明細書
【補正対象項目名】００２４
【補正方法】変更
【補正の内容】
【００２４】
図２の最下段の回路図はリアクタンス回路１７の一構成例を示している。この例のリアクタンス回路１７は、インダクタＬ１と第１のキャパシタＣ１とを直列接続した直列回路に、第２のキャパシタＣ２を並列に接続して得られる回路である。このリアクタンス回路１７は、２つの周波数帯域で整合が得られる容量性リアクタンス（例えば、８００ＭＨｚ帯において３ｐＦ、２ＧＨｚ帯において１．５ｐＦ）を呈する。
【手続補正３】
【補正対象書類名】明細書
【補正対象項目名】００２６
【補正方法】変更
【補正の内容】
【００２６】
リアクタンス回路１７の具体的な構成は図２に記載の回路に限るものではない。例えば、図４に示すリアクタンス回路１７ａは、第１のインダクタＬ１と第１のキャパシタＣ１とを並列接続した並列回路に、第２のキャパシタＣ２を直列に接続して得られる回路である。
【手続補正４】
【補正対象書類名】図面
【補正対象項目名】図８
【補正方法】変更
【補正の内容】
【図８】
2010062976.tif 000015
【手続補正５】
【補正対象書類名】図面
【補正対象項目名】図１２
【補正方法】変更
【補正の内容】
【図１２】
2010062976.tif 000016